(57)【要約】【課題】吹出し風量のバラツキを抑えた分岐チャンバで、かつ全体風量の向上を実現する。【解決手段】正面に主ダクト接続部と、その側面に複数の吹出し口と、内部に分流板と、主ダクト接続部から対面方向に一定の長さを有する層流部とを備える分岐チャンバであって、前記分流板は分岐チャンバの中心軸から放射状に広がった幅を持ち、正面から対面方向に延伸する板で構成されていることを特徴とする分岐チャンバである。 【選択図】  図２
2014077608.tif 000002
【特許請求の範囲】
【請求項１】
正面に主ダクト接続部と、その側面に複数の吹出し口と、内部に分流板と、主ダクト接続部から対面方向に一定の長さを有する層流部とを備える分岐チャンバであって、
前記分流板は分岐チャンバの中心軸から放射状に広がった幅を持ち、正面から対面方向に延伸する板で構成されていることを特徴とする分岐チャンバ。
【請求項２】
前記層流部は主ダクト接続部の口径Ｌよりも大きな長さを持つことを特徴とする請求項１の分岐チャンバ。
【請求項３】
前記分流板は、主ダクト接続部から、その口径Ｌ以上の長さを有し、水平および垂 直の二枚以上の交差平板であることを特徴とする請求項1の分岐チャンバ。
【請求項４】
前記吹出し口は、上下二段以上の構成であることを特徴とする請求項３の分岐チャンバ。
【発明の詳細な説明】
【技術分野】
【０００１】
本発明は、空気調和された空気を、空調装置と必要とする複数の部屋とをダクトを通して連通接続するための分岐チャンバに関するものである。
【背景技術】
【０００２】
従来の分岐チャンバは、主ダクト接続口から流入した空気が各吹出し口に分配される際に、対面に配置された吹出し口の風量が側面に配置された吹出し口よりも多くなるなど、各吹出し口の風量が均一にならなかった。
【０００３】
特許文献1で示される発明では、平面状底面中央部に主ダクト接続口を設けて、複数の吹出し口を上部の球面状側面に設けることで改善を図っている。ただ、球面状の側面から全周に吹出し口があるため、壁際などに設置しにくい等の施工上の問題があった。
【０００４】
特許文献２で示される発明では、施工が容易な構造であり、空調機の小型化および空調エネルギの削減を図ることができるとある。本発明の課題と共通する風量のバラツキについては、誘引ガイドと分岐チャンバ部との間の空調ダクト内にガイドベーンを設置することで解決を図っている。
【０００５】
ただし、この特許文献２の発明では、確かに分岐チャンバ部に送り込まれる空気の均質化は図ることはできるが、主ダクト接続部以降の部分で見れば、分岐チャンバ内に流入した空気は分岐チャンバ本体内で渦を発生させるなどの乱流を生ずることがあるので、分岐チャンバ本体内の均質性の問題は依然として残る。
【先行技術文献】
【特許文献】
【０００６】
【特許文献１】特開２００７−００３０８７号公報
【特許文献２】特開２００８−２３２５１０号公報
【発明の概要】
【発明が解決しようとする課題】
【０００７】
本発明はこのような状況に鑑み、分岐チャンバ内部にて吹出し風量のバラツキを抑えて、吹出し口からの各空気風量の不均一化の問題を解決する。
【０００８】
特に、特許文献１の発明では、主ダクト接続部からの空気が分岐チャンバに流入する際に曲がりがあるので、流入する空気が偏る。そのため、流れが乱れることで全体風量が減少する問題があるので、これを解決する。
【０００９】
さらに、製造、施工上の理由で、設置場所に制約がないように、平面構造をなす分岐チャンバを提供する。
【課題を解決するための手段】
【００１０】
本発明は、正面に主ダクト接続部と、その側面に複数の吹出し口と、内部に分流板と、主ダクト接続部から対面方向に一定の長さを有する層流部とを備える分岐チャンバであって、前記分流板は分岐チャンバの中心軸から放射状に広がった幅を持ち、正面から対面方向に延伸する板で構成されていることを特徴とする分岐チャンバの発明である。
【００１１】
また、本発明は、前記層流部は主ダクト接続部の口径よりも大きな長さを持つことを特徴とし、また、前記分流板は、主ダクト接続部から、その口径Ｌ以上の長さを有し、水平および垂 直の二枚以上の交差平板であることを特徴とし、さらに、
前記吹出し口は、上下二段以上の構成であることを特徴とする分岐チャンバにかかる発明である。
【発明の効果】
【００１２】
このように、本発明によれば、分岐チャンバにおける吹出し風量のバラツキを抑えて、全体風量の向上を実現する。また設置場所に制約がなく、床面、天井、或いは壁面に容易に設置できるという効果がある。
【図面の簡単な説明】
【００１３】
【図１】本発明にかかる空調設備システムを示す平面図
【図２】本発明の分岐チャンバの平面図および主ダクト接続部正面図
【図３】本発明のその他の実施例にかかる分岐チャンバの平面図および正面図
【発明を実施するための形態】
【００１４】
以下、本発明の実施形態にかかる分岐チャンバについて図面に基づいて説明する。まず、図１
に示すように空調設備システムは、空調機(図外)で形成された調和空気を送給するための空調ダクト１１と、主ダクト接続部１０から送り込まれる主調和空気１２を複数方向に分岐して送り出すための分岐チャンバ１と、を備えている。分岐チャンバ１から吹出し口２０から複数方向に分岐して送り出された分岐調和空気２２はそれぞれ分岐ダクト２１を経由して各部屋の給気口３０から室内へ送り込まれる。分岐とは複数に吹出されて送り出されるものであり、この平面図では、吹出し口２０、分岐ダクト２１および分岐調和空気２２並びに給気口３０には、例として４系等でａ，ｂ，ｃ，ｄと符合添え字している。なお、本平面図では見えていないが、各吹出し口は上下複数段に配置可能とする。
【００１５】
さて、分岐チャンバ１の構成について、図２で示す。図２Ａは分岐チャンバを上方から見た平面図である。図２Ｂは、主ダクト接続部にかかる正面図である。なお、図２Ａの平面図では分岐チャンバ１に内蔵される分岐板５，６を示すために内部を透過的に図示している。
【００１６】
分岐チャンバ１は立方体状の筐体をなす。主ダクト接続部１０を正面として捉えると、側面に吹出し口２０がある。吹出し口２０は２段構成である。ここで、分岐チャンバ１の主ダクト接続部１０から所定の区間は吹出し口２０を側部に設けないものであり、層流部２と呼ぶ。
【００１７】
層流部２は主ダクト接続部１０から所定の長さはＸである。主ダクト接続部１０の開口部の径をＬとすると、次の関係式（１）を満足することが望ましい。
Ｘ  ＞＝  Ｌ                            ・・・・（１）
分岐チャンバに流入直後の主調和空気１２を安定化するバッファの役目である。
【００１８】
次に、分岐板５ないし６について述べる。分岐板は分岐チャンバ１の正面から分岐チャンバ１の長手方向に延伸して置かれるものである。その中心はチャンバの中心軸４（図中一点鎖線で示す）に置かれる。このように、分流板５，６はチャンバの中心から放射状に広がって流路に沿って延伸する板で構成される。こうすることで、分岐チャンバ内の調和空気に整流の効果を奏する。
【００１９】
分流板を５，６のように２枚(上下左右４方向)で構成した場合には、吹出し口２０は上下二段構成することが望ましい。整流された空気をそのまま各吹出し口に導くためである。
【００２０】
さて、分流板は必ずしも図２Ｂのように、水平および垂直の２枚で構成される場合ばかりではない。さらに図２Ｃのとおり、２枚の分流板７，８を正面から見て４５度回転させた位置に設けることもよい。更なる分岐の効果を図るためである。この場合は、吹出し口２０は縦に四段に構成することが可能になる。このようにして吹出し口２０を多段に構成して分岐調和空気２２の分配数を増やすことができる。
【００２１】
（その他の実施例）
さらに、図３に示したように、室内機(図外)に直接組み付けるサプライチャンバ方式においても同様に吹出し口からの風量を均一にできる。ここでは、図３Ａの平面図にあるように、分岐チャンバ１は、所定の層流部２とテーパー状の分岐端部３から構成される。
図３Ｂに示す主ダクト接続部１０からの正面図で見るように、分岐板はここでは唯一垂直方向しかない。端部のテーパー形状のため一枚の分岐板としているが、これでチャンバ内の風量のバラツキを低減できる。
【００２２】
以上のように、本発明の実施態様を説明したが、種種の設計変更等は任意であり、その様な設計にあっても、本発明の趣旨を逸脱しないかぎり、本発明の範囲に属するものと理解するべきである。例えば、分流板の水平・垂直の捉え方は、分岐チャンバ１を壁面に横付けしたような場合には逆に解釈する必要があるなど、注意が必要である。
【符号の説明】
【００２３】
１  分岐チャンバ本体
２  層流部
３  分岐端部
４  中心軸
５〜８  分流板
１０  主ダクト接続部
１１  空調ダクト
１２  主調和空気
２０  吹出し口
２１  分岐ダクト
２２  分岐調和空気
３０  部屋給気口
【図１】
2014077608.tif 000003
【図２】
2014077608.tif 000004
【図３】
2014077608.tif 000005